(57)【要約】  外部車両（１０１，１０２，１０３）の走行状態を識別する方法であって、少なくとも１つのセンサ（１０４）によって、長手方向（１０５）に運動する外部車両を検出するステップと、長手方向に対する横方向での外部車両の運動の基準（１０６，１０８）を求めるステップと、外部車両から基準までの、第１の時点での第１の距離（１１０，１０９）を求めるステップと、外部車両から基準までの、第１の時点よりも後の第２の時点での第２の距離（１１４，１１５）を求めるステップと、第１の距離と第２の距離との差を求めるステップと、差が設定された値以下である場合に、アシストシステムの支援を受けている走行状態であると識別するステップとを含む。
2016529588.tif 000002
【特許請求の範囲】
【請求項１】
外部車両（１０１，１０２，１０３）の走行状態を識別する方法であって、
・少なくとも１つのセンサ（１０４）によって、長手方向（１０５）に運動する外部車両（１０１，１０２，１０３）を検出するステップと、
・前記長手方向（１０５）に対する横方向での前記外部車両（１０１，１０２，１０３）の運動の基準（１０６，１０８）を求めるステップと、
・前記外部車両（１０１，１０２，１０３）から前記基準（１０６，１０７，１０８）までの、第１の時点での第１の距離（１０９，１１０）を求めるステップと、
・前記外部車両（１０１，１０２，１０３）から前記基準（１０６，１０７，１０８）までの、前記第１の時点よりも後の第２の時点での第２の距離（１１４，１１５）を求めるステップと、
・前記第１の距離（１０９，１１０）と前記第２の距離（１１４，１１５）との差を求めるステップと、
・前記差が設定された値以下である場合に、アシストシステムの支援を受けている走行状態であると識別するステップと
を含む
ことを特徴とする方法。
【請求項２】
・前記外部車両（１０１，１０２，１０３）の速度値を求めるステップと、
・求められた速度値に依存して、前記第１の距離（１０９，１１０）を求めるステップから前記第２の距離（１１４，１１５）を求めるステップまでの時間を設定するステップと
を含む、
請求項１記載の方法。
【請求項３】
・前記外部車両（１０１，１０２，１０３）の速度値を求めるステップと、
・求められた速度値に依存して、前記外部車両（１０１，１０２，１０３）から前記基準（１０６，１０７，１０８）までの別の距離（１１６，１１７）を求める回数を設定するステップと
を含む、
請求項１又は２記載の方法。
【請求項４】
・前記外部車両（１０１，１０２，１０３）のタイプを求めるステップと、
・求められたタイプに依存して、前記時間及び／又は前記回数を設定するステップと
を含む、
請求項２又は３記載の方法。
【請求項５】
前記運動の基準（１０６，１０７，１０８）を求めるステップは、
・前記基準（１０６，１０７，１０８）として走行路マークを求めるステップ
を含む、
請求項１から４までのいずれか１項記載の方法。
【請求項６】
前記アシストシステムの支援を受けている走行状態を識別するステップは、
・前記外部車両（１０１，１０２，１０３）の能動的な横方向制御を識別するステップ
を含む、
請求項１から５までのいずれか１項記載の方法。
【請求項７】
・求められた状態を車両（１００）のユーザへ出力するステップを含む、
請求項１から６までのいずれか１項記載の方法。
【請求項８】
・少なくとも１つのカメラ及び／又はＬＩＤＡＲ及び／又はレーダーによって、前記外部車両（１０１，１０２，１０３）を検出するステップを含む、
請求項１から７までのいずれか１項記載の方法。
【請求項９】
外部車両（１０１，１０２，１０３）の走行状態を識別するための、車両（１００）用装置であって、
該車両用装置は、
・少なくとも１つのセンサ（１０４）によって、長手方向（１０５）に運動する外部車両（１０１，１０２，１０３）を検出し、
・前記長手方向（１０５）に対する横方向での前記外部車両（１０１，１０２，１０３）の運動の基準（１０６，１０８）を求め、
・前記外部車両（１０１，１０２，１０３）から前記基準（１０６，１０７，１０８）までの、第１の時点での第１の距離（１０９，１１０）を求め、
・前記外部車両（１０１，１０２，１０３）から前記基準（１０６，１０７，１０８）までの、前記第１の時点よりも後の第２の時点での第２の距離（１１４，１１５）を求め、
・前記第１の距離（１０９，１１０）と前記第２の距離（１１４，１１５）との差を求め、
・前記差が設定された値以下である場合に、アシストシステムの支援を受けている走行状態であると識別する、
ように構成されている、
ことを特徴とする車両用装置。
【発明の詳細な説明】
【技術分野】
【０００１】
本発明は、外部車両の走行状態を識別する方法及び装置に関する。
【０００２】
既に、ドライバーの運転タスクを支援及び担当する車両用システムが公知である。例えば、非常制動補助装置は、ドライバーの反応時間が短縮され、かつ、制動作用が増大されるように、補助を行う。さらには、自動運転のためのシステムも検討されており、ここでは部分自動運転及び自律走行の双方が研究されている。相応のシステムは、理想的には、人間のドライバーよりも良好な反応時間を有する。例えば、相応の支援機能を有する車両は、支援機能を有さない車両に比べて迅速に停止でき、これにより事故を防止できる。従来、こうした新しいシステムはまず上級車両向けに提供されていた。このため、部分自動運転又は自律走行のためのシステムを有さない車両も多く存在する。ただし、自律走行可能な車両、ひいては、相応のセンサが設けられた車両は、通常、従来型の車両よりも交通事象への応答が迅速であり、停止過程も迅速となりうる。後続の交通にとって、こうした迅速な挙動は予測困難である。例えば、先行車両が自律走行可能な車両又は部分自動運転可能な車両である場合、先行車両までの最小距離は増大されなければならない。
【０００３】
したがって、特に自動化されていない車両の従来型のセンサにより、外部車両の走行状態を高い信頼性で識別できる方法又は装置を提供することが所望されている。
【０００４】
本発明は、外部車両の走行状態を識別する方法、及び、この方法を実行するように構成された装置を特徴とする。
【０００５】
本発明の少なくとも１つの実施形態によれば、まず、外部車両が少なくとも１つのセンサによって検出される。外部車両は長手方向に運動している。ついで、長手方向に対する横方向での外部車両の運動の基準が求められる。続いて、第１の時点での外部車両から基準までの距離すなわち第１の距離と、第１の時点よりも後の第２の時点での外部車両から基準までの距離すなわち第２の距離とが求められる。さらに、第１の距離と第２の距離との差が求められ、この差が設定された値以下である場合、アシストシステムの支援を受けている走行状態が識別される。
【０００６】
本発明の方法によれば、外部車両の実際の走行状態がアシストシステムの支援を受けているものであるか否かを識別できる。外部車両とは、例えば、先行車両、後方車両、及び／又は、並走車両である。走行状態は、例えば、２つの異なる値、すなわち、「アシストシステムの支援有り」又は「アシストシステムの支援無し」を有する。走行状態「アシストシステムの支援有り」は、特に、車両が横方向制御の支援を有することを意味する。アシストシステムの支援を受けている走行状態では、特に、外部車両の横方向制御が、自動で、つまり、外部車両のドライバーの意図に関わらずコンピュータシステムによって行われている。外部車両がアシストシステムの支援を受けていない走行状態にある場合には、従来と同様に、外部車両のドライバーが長手方向に対する横方向の操舵を行っている。
【０００７】
アシストシステムの支援を受けている車両は、支援無しのドライバーが行うよりも正確な横方向制御を行えるので、外部車両は長時間にわたって基準までの距離を相対的に一定に維持できる。横方向制御のアシストを有さない車両では、所定の時間で見た当該距離がより大きく変動する。外部車両を操舵する人間は、レーンを維持することはできるが、左方及び右方へのドリフトを起こしやすい。したがって、基準までの距離につき、第１の時点での第１の距離と第２の時点での第２の距離とを比較することにより、外部車両の走行状態を識別することができる。
【０００８】
別の実施形態によれば、外部車両の速度値が求められる。特に、外部車両の長手方向の走行速度が求められる。求められた速度に依存して、第１の距離の測定から第２の距離の測定までの時間が設定される。特に、速度値が大きくなるにつれて、当該時間は小さく設定される。これにより、外部車両の速度に依存して、走行状態を正確に識別することができる。
【０００９】
別の実施形態によれば、速度値に依存して、外部車両から基準までの距離を求める回数が設定される。例えば、順次の各時点で複数回当該距離が求められる。例えば、順次の各時点で、３回以上、当該距離が求められる。
【００１０】
別の実施形態によれば、外部車両のタイプが求められる。例えば、求められた車両タイプに依存して、外部車両から基準までの距離の或る測定から次の測定までの時間が設定される。これに代えてもしくはこれに加えて、求められた外部車両のタイプに依存して、それぞれの距離を測定する回数を設定することもできる。このようにして、走行状態を識別する際に、外部車両の特徴及び／又はそれぞれのタイプの特性を考慮できる。例えば、外部車両のタイプ及び／又はそのつどの走行状態におけるその挙動特性が、データベースに記憶され、及び／又は、情報システムから取得される。
【００１１】
一実施形態によれば、識別された状態が、外部車両の周囲を走行している車両のユーザもしくはシステムへ出力される。したがって、車両のユーザは、自身の走行挙動を外部車両の走行状態に適合させることができる。外部車両がアシストシステムの支援を受けている走行状態にある場合、車両のユーザは例えば先行する当該外部車両に対する間隔を増大及び縮小できる。これに代えてもしくはこれに加えて、別の実施形態によれば、識別された状態が車両の制御装置へ出力されることにより、例えば、車両のアシストシステムのパラメータを外部車両の走行状態に依存して調整できる。これに代えてもしくはこれに加えて、別の実施形態により、識別された状態を、携帯電話機、いわゆるスマートフォン及び／又はタブレットコンピュータなどの外部機器へ出力してもよい。
【００１２】
本発明の別の特徴、その利点及び実施形態を、図に関連して以下に詳細に説明する。図中、同一の要素もしくは同様の機能を有する要素には同じ参照番号を付してある。
【図面の簡単な説明】
【００１３】
【図１】複数の車両を示す概略図である。
【図２】各車両の走行状態の相違を示す概略図である。
【図３】走行している前後の２車両を示す概略図である。
【図４】種々の時点での外部車両を示す概略図である。
【図５】一実施形態による方法ステップを示す概略図である。
【００１４】
図１には、ともに同じ道路を走行している複数の車両１００，１０１，１０２，１０３が概略的に示されている。車両１００は、外部車両１０１及び／又は１０２及び／又は１０３の走行状態を識別するように構成された装置１２１を有している。外部車両１０１は車両１００の前方を走行しており、外部車両１０２は車両１００に並走しており、外部車両１０３は車両１００の後方を走行している。車両１００−１０３はそれぞれ道路に沿った長手方向１０５で運動している。
【００１５】
図２のＡには、アシストシステムの支援を受けていない走行状態にある外部車両１０１の走行特性の概略図が示されている。外部車両１０１はこの外部車両のドライバーによって操舵されている。外部車両１０１のドライバーは、長手方向１０５に対する横方向での外部車両１０１の運動を決定している。アシストシステムによって支援されていない走行状態では、長手方向１０５に沿って、外部車両１０１の走行軌跡１１８に波形状が生じている。外部車両１０１ではユーザが外部車両１０１を操舵しているので、このユーザ（ドライバー）が長手方向１０５にまっすぐ運転しようと努めても、車両１０１から基準１０６までの距離が変化する。基準１０６は例えば走行路の区画線である。
【００１６】
図２のＢには、アシストシステムの支援を受けている走行状態にある外部車両１０１の走行軌跡１１８の形状が概略的に示されている。外部車両１０１がコンピュータ支援での横方向制御を行っていることにより、走行軌跡１１８は、ほぼ直線状に、長手方向１０５に対応して延在している。アシストシステムで支援されている走行状態にあるコンピュータは、人間とは異なり、軌跡を著しく正確に保持できる。よって、走行軌跡１１８の波形状すなわち基準１０６に対する変動は、アシストシステムの支援を受けていない走行状態におけるよりも支援を受けている走行状態において格段に小さくなる。
【００１７】
図３には、一実施形態による、外部車両１０１から基準までの距離の測定が概略的に示されている。車両１００は外部車両１０１を検出するように構成されたセンサ１０４を備えている。一実施形態によれば、センサ１０４は１つもしくは複数のカメラである。別の実施形態では、センサ１０４はＬＩＤＡＲを含み、さらに別の実施形態では、センサ１０４はレーダーを含み、さらに別の実施形態では、外部車両１０１を検出する複数のデバイスの組み合わせである。また、センサ１０４は、基準１０６を検出するように構成されている。特に、センサ１０４は、複数の基準１０７，１０８，１１９，１２０も検出するように構成されている。基準１０６，１０７，１０８，１１９，１２０は、道路の走行路マーク、特には、明るいマークと暗い舗装路面とのコントラストを充分に良好に認識可能な、走行路マークのエッジである。
【００１８】
車両１００の装置１２１は、センサ１０４のデータを用いて、車両１０１から基準１０８までの距離１０９を求めるように構成されている。これに代えてもしくはこれに加えて、装置１２１は、基準１０６までの距離１１０を求めるように構成することもできる。これに代えてもしくはこれに加えて、装置１２１は、基準１０７までの距離１１１，基準１１９までの距離１１２，基準１２０までの距離１１３を求めるように構成されてもよい。別の実施形態によれば、付加的に、別の基準までの別の距離が求められる。さらに別の実施形態として、図３に示されているよりも少数の距離を求めてもよい。
【００１９】
これに代えてもしくはこれに加えて、別の実施形態によれば、先行する外部車両１０１についての図３の測定は、並走している車両１０２及び／又は後方を走行している車両１０３に対しても行うことができる。もちろん、一実施形態によれば、左方及び右方を並走する双方の車両について測定可能である。一実施形態によれば、複数の車両１０１，１０２，１０３についての測定を同時に行うこともできる。
【００２０】
図４のＡには、第１の時点での、外部車両１０１から基準１０８までの距離１０９が示されている。また、第１の時点での、外部車両１０１から基準１０６までの第１の距離１１０も示されている。さらに、一実施形態によれば、車両１００の装置１２１により、外部車両１０１の長手方向１０５の速度も求められる。
【００２１】
図４のＢには、外部車両１０１が長手方向１０５に運動した後の時点での、基準１０８までの第２の距離１１４が示されている。また、外部車両１０１から基準１０６までの第２の距離１１５も示されている。一実施形態では、第１の距離１０９，１１０の測定から第２の距離１１４，１１５の測定までの時間は、装置１２１において、求められた外部車両１０１の速度に依存して設定される。別の実施形態によれば、外部車両１０１を検出するセンサ１０４のタイプが速度に依存して設定される。例えば、求められた外部車両１０１の速度に依存して、カメラもしくはＬＩＤＡＲもしくはレーダーが使用される。さらに、一実施形態によれば、求められた外部車両１０１の速度に依存して、第３の距離１１６もしくは１１７又は第２の時点での別の距離が付加的に求められるか否かが設定される。
【００２２】
図４のＣには、第３の時点での、基準１０８までの第３の距離１１６と、基準１０６までの第３の距離１１７とが示されている。外部車両１０１の走行状態を識別するために、距離１０９と距離１１４とが比較される。一実施形態によれば、さらに、距離１０９及び／又は距離１１４が距離１１６と比較される。距離１１０は、距離１１５と比較される。別の実施形態によれば、さらに、距離１１０及び／又は距離１１５が距離１１７と比較される。距離１０９が距離１１４に等しい場合、又は、距離１０９と距離１１４とが最大でも相互に設定値ぶんしか異なっていない場合、外部車両１０１はアシストシステムの支援を受けている。距離１０９と距離１１４とが相互に設定値ぶんよりも大きく異なっている場合には、外部車両１０１はアシストシステムの支援を受けていない。また、別の実施形態として、走行状態を識別するために、対応する距離の別の比較を考慮することもできる。一実施形態によれば、付加的に外部車両１０１のタイプが考慮される。こうして、走行状態の測定時に、タイプに依存した距離変化を考慮することができる。
【００２３】
一実施形態によれば、識別された外部車両１０１の走行状態が車両１００のユーザすなわち人間もしくはシステムに出力される。例えば、車両１００のドライバーはオンボードコンピュータに出力される相応の示唆を受け取る。これに代えてもしくはこれに加えて、別の実施形態によれば、識別された走行状態が車両１００の制御装置に引き渡され、これにより、車両１００の自動アシストシステムが識別された走行状態に依存して動作する。特に、アシストシステムの支援を受けている走行状態が識別された場合、先行する外部車両１０１に対する距離が自動で増大される。これにより事故を回避でき、また、テールゲートドライバーを発見できる。さらに、人間のドライバーとコンピュータのドライバーとの区別も可能である。なお、事故を早期に予測できるので、アシストシステムが相応に早期に対応行動を採ることも可能である。アシストシステムの支援を受けている走行状態が識別された場合、適切である可能性の高い走行挙動を認識でき、また、外部車両１０１の挙動を予測できるか否かの判断を得ることもできる。さらに、事故又は危険状況を回避するために、外部車両１０２，１０３への警告の示唆を出力することもできる。一実施形態によれば、車両１００自体は横方向制御のアシストを有する。別の実施形態によれば、車両１００自体は横方向制御のアシストを有さない。
【００２４】
図５には、一実施形態による、外部車両１０１の走行状態を識別する方法の各ステップが示されている。
【００２５】
ステップ２０１で、観察すべき外部車両１０１が可視となるか又は選択される。
【００２６】
ステップ２０２で、外部車両１０１の速度が求められる。
【００２７】
ステップ２０３では、求められた速度に依存して、測定周期の回数が求められる。
【００２８】
ステップ２０４では、求められた速度に依存して、個々の測定間の時間（間隔）が求められる。
【００２９】
ステップ２０５では、求められた速度に依存して、センサ１０４に対する適切なセンサ装置が定められる。
【００３０】
ステップ２０６で、対象物認識が行われ、外部車両１０１がセンサ１０４によって検出される。
【００３１】
ステップ２０７で、外部車両１０１に対する水平方向距離を測定可能な基準１０６及び／又はその他の基準が求められる。
【００３２】
ステップ２０８で、基準１０８までの第１の距離１０９が求められる。第１の距離１０９は記憶される。
【００３３】
ステップ２０９で、先行車両がステップ２０１での外部車両１０１と同じ車両であるか否かが検査される。
【００３４】
先行車両が同じ外部車両１０１である場合、ステップ２１０で、第１の距離１０９を求めたときと同じ基準１０８までの第２の距離１１４が求められ、距離値が記憶される。
【００３５】
ステップ２１１で、先行車両が同じ外部車両１０１であるか否か、及び、基準が同じものであるか否かが求められる。さらに、一実施形態では、対象物が観察すべき関心体であるか否かが検査される。
【００３６】
ステップ２１２で、同じ基準１０８までの第３の距離１１６が求められ、求められた値が記憶される。ステップ２１３では、ステップ２１１と同様に、先行車両が同じ外部車両１０１であるか否か、基準が同じものであるか否か、及び、対象物が観察すべき関心体であるか否かが検査される。
【００３７】
ついで、一実施形態によれば、ステップ２１４で、同じ基準１０８に対する別の距離測定が行われる。
【００３８】
ステップ２１５では、先行車両が同じ外部車両１０１であるか否か、基準１０８が同じものであるか否か、及び、対象物が観察すべき関心体であるか否かが検査される。
【００３９】
ステップ２１６では、ステップ２０８，２１０，２１２，２１４で求められた距離が相互に比較される。特に、これらの距離の差が求められる。
【００４０】
ステップ２１７で、求められた差が設定値と比較される。差が設定値以下である場合、走行状態はアシストシステムの支援を受けていると識別される。そうでない場合、走行状態はアシストシステムの支援を受けていないと識別される。このようにして、外部車両１０１の横方向制御を人間が担当しているか又はコンピュータシステムが担当しているかを識別できる。
【図１】
2016529588.tif 000003
【図２Ａ】
2016529588.tif 000004
【図２Ｂ】
2016529588.tif 000005
【図３】
2016529588.tif 000006
【図４Ａ−４Ｃ】
2016529588.tif 000007
【図５】
2016529588.tif 000008
【国際調査報告】
2016529588.tif 000009
2016529588.tif 000010
2016529588.tif 000011
2016529588.tif 000012
2016529588.tif 000013
2016529588.tif 000014